(57)【特許請求の範囲】
【請求項１】
通信デバイス（１０１）であって、
前記通信デバイス（１０１）が、
第１の周波数帯域（１１１）においてセルラーネットワーク（１０２）と通信し、第２の周波数帯域（１１２）においてセルラーネットワーク（１０２）と通信するように構成されたワイヤレスインターフェース（１０１−１）であって、前記第２の周波数帯域（１１２）が、前記第１の周波数帯域（１１１）とは少なくとも部分的に異なる、ワイヤレスインターフェース（１０１−１）と、
前記第１の周波数帯域（１１１）において前記ワイヤレスインターフェース（１０１−１）を介して前記セルラーネットワーク（１０２）にデータパケット（２９０）を送信するように構成された少なくとも１つのプロセッサ（１０１−２）と
を備え、前記少なくとも１つのプロセッサ（１０１−２）が、さらに、前記データパケット（２９０）の受信が前記セルラーネットワーク（１０２）によって確認応答されたかどうかをチェックするように構成され、
前記少なくとも１つのプロセッサ（１０１−２）が、さらに、前記チェックに応じて、前記第２の周波数帯域（１１２）において前記ワイヤレスインターフェース（１０１−１）を介して前記セルラーネットワーク（１０２）に前記データパケット（２９０）を選択的に送るように構成され、
前記少なくとも１つのプロセッサ（１０１−２）が、第１の自動再送要求方式（５０１）を使用して前記第１の周波数帯域（１１１）において前記ワイヤレスインターフェース（１０１−１）を介して前記セルラーネットワーク（１０２）に前記データパケット（２９０）を送るように構成され、
前記少なくとも１つのプロセッサ（１０１−２）が、さらに、第２の自動再送要求方式（５０２）を使用して前記第２の周波数帯域（１１２）において前記ワイヤレスインターフェース（１０１−１）を介して前記セルラーネットワーク（１０２）に前記データパケット（２９０）を選択的に送るように構成され、
前記第１の自動再送要求方式と前記第２の自動再送要求方式とでは、送信リトライタイマーが異なり、
前記データパケットを選択的に送ることは、前記第１の周波数帯域において送信した前記データパケットのうち、前記確認応答がされなかった前記データパケットを送ることである、
通信デバイス（１０１）。
【請求項２】
前記少なくとも１つのプロセッサ（１０１−２）が、前記第１の周波数帯域（１１１）において前記ワイヤレスインターフェース（１０１−１）を介した前記セルラーネットワーク（１０２）への前記データパケット（２９０）の前記送信の一部として、前記データパケット（２９０）の送信タイムアウト（２８０−１、２８０−２）を監視し、前記チェックが、前記データパケット（２９０）の前記受信が前記セルラーネットワーク（１０２）によって確認応答されず、前記送信タイムアウト（２８０−１、２８０−２）の前記監視次第であることをもたらす場合、前記第１の周波数帯域（１１１）において前記セルラーネットワーク（１０２）に前記ワイヤレスインターフェース（１０１−１）を介して前記データパケット（２９０）を選択的に再送するように構成される、
請求項１に記載の通信デバイス（１０１）。
【請求項３】
前記少なくとも１つのプロセッサ（１０１−２）が、前記送信タイムアウト（２８０−１、２８０−２）の前記監視が前記データパケット（２９０）の経過した送信タイムアウト（２８０−１、２８０−２）をもたらす場合、前記第２の周波数帯域（１１２）における前記ワイヤレスインターフェース（１０１−１）を介した前記セルラーネットワーク（１０２）への前記データパケット（２９０）の前記送信を選択的に実行するように構成される、
請求項２に記載の通信デバイス（１０１）。
【請求項４】
前記少なくとも１つのプロセッサ（１０１−２）が、所定の閾値と、送信タイムアウトタイマーおよび再送カウンタのうちの少なくとも１つとの間の閾値比較を実行することによって、前記データパケット（２９０）の前記送信タイムアウト（２８０−１、２８０−２）を監視するように構成され、
前記所定の閾値が、前記データパケット（２９０）の存続期間の表示よりも短い持続時間の間、前記第１の周波数帯域（１１１）において前記セルラーネットワーク（１０２）に前記データパケット（２９０）を送ることに対応する、
請求項２または３に記載の通信デバイス（１０１）。
【請求項５】
前記少なくとも１つのプロセッサ（１０１−２）が、前記第２の周波数帯域（１１２）における前記ワイヤレスインターフェース（１０１−１）を介した前記セルラーネットワーク（１０２）への前記データパケット（２９０）の前記送信の一部として、
前記データパケット（２９０）のさらなる送信タイムアウト（２８０−１、２８０−２）を監視し、
前記チェックが、前記データパケット（２９０）の前記受信が前記セルラーネットワーク（１０２）によって確認応答されず、前記さらなる送信タイムアウト（２８０−１、２８０−２）の前記監視次第であることをもたらす場合、前記第２の周波数帯域（１１２）において前記セルラーネットワーク（１０２）に前記ワイヤレスインターフェース（１０１−１）を介して前記データパケット（２９０）を選択的に再送する
ように構成され、前記少なくとも１つのプロセッサ（１０１−２）が、さらなる所定の閾値と、さらなる送信タイムアウトタイマーおよびさらなる再送カウンタのうちの少なくとも１つとの間のさらなる閾値比較を実行することによって、前記データパケット（２９０）の前記さらなる送信タイムアウト（２８０−１、２８０−２）を監視するように構成され、
前記さらなる所定の閾値が、前記データパケット（２９０）の前記存続期間の表示よりも短い持続時間の間、前記第２の周波数帯域（１１２）において前記セルラーネットワーク（１０２）に前記データパケット（２９０）を送ることに対応する、
請求項４に記載の通信デバイス（１０１）。
【請求項６】
前記少なくとも１つのプロセッサ（１０１−２）が、前記第２の周波数帯域（１１２）において前記セルラーネットワーク（１０２）から前記ワイヤレスインターフェース（１０１−１）を介して受信された制御メッセージ、および前記データパケット（２９０）の存続期間の表示のうちの少なくとも１つに基づいて、前記所定の閾値および前記さらなる所定の閾値のうちの少なくとも１つを決定するように構成される、
請求項４または５に記載の通信デバイス（１０１）。
【請求項７】
前記第１の周波数帯域（１１１）が無認可周波数帯域（unlicensed  frequency  band）であり、前記ワイヤレスインターフェース（１０１−１）が、前記第１の周波数帯域（１１１）において認可補助アクセス（Licensed  Assisted  Access）ＬＴＥデータ送信手順に従って送受信するように構成され、
前記第２の周波数帯域（１１２）が認可周波数帯域であり、前記ワイヤレスインターフェース（１０１−１）が、前記第２の周波数帯域（１１２）においてＬＴＥ認可データ送信手順に従って送受信するように構成される、
請求項１〜６のいずれか一項に記載の通信デバイス（１０１）。
【請求項８】
前記通信デバイス（１０１）が、モバイルフォン、スマートフォン、タブレット、携帯情報端末、携帯音楽プレーヤ、スマートウォッチ、ウェアラブル電子機器、およびモバイルコンピュータを含むグループのモバイルデバイスである、
請求項１〜７のいずれか一項に記載の通信デバイス（１０１）。
【請求項９】
通信デバイス（１０１）の少なくとも１つのプロセッサ（１０１−２）が、第１の周波数帯域（１１１）において前記通信デバイス（１０１）のワイヤレスインターフェース（１０１−１）を介してセルラーネットワーク（１０２）にデータパケットを送ることと、
前記少なくとも１つのプロセッサ（１０１−２）が、前記データパケット（２９０）の受信が前記セルラーネットワーク（１０２）によって確認応答されたかどうかをチェックすることと、
前記チェックに応じて、前記少なくとも１つのプロセッサ（１０１−２）が、第２の周波数帯域（１１２）において前記ワイヤレスインターフェース（１０１−１）を介して前記セルラーネットワーク（１０２）に前記データパケット（２９０）を選択的に送ることであって、前記第２の周波数帯域（１１２）が、前記第１の周波数帯域（１１１）とは少なくとも部分的に異なることと、
前記少なくとも１つのプロセッサ（１０１−２）が、第１の自動再送要求方式（５０１）を使用して前記第１の周波数帯域（１１１）において前記ワイヤレスインターフェース（１０１−１）を介して前記セルラーネットワーク（１０２）に前記データパケット（２９０）を送ることと、
前記少なくとも１つのプロセッサ（１０１−２）が、さらに、第２の自動再送要求方式（５０２）を使用して前記第２の周波数帯域（１１２）において前記ワイヤレスインターフェース（１０１−１）を介して前記セルラーネットワーク（１０２）に前記データパケット（２９０）を選択的に送ることと、
を含み、
前記第１の自動再送要求方式と前記第２の自動再送要求方式とでは、送信リトライタイマーが異なり、
前記データパケットを選択的に送ることは、前記第１の周波数帯域において送信した前記データパケットのうち、前記確認応答がされなかった前記データパケットを送ることである、方法。
【請求項１０】
前記方法が、請求項１〜８のいずれか一項に記載の通信デバイス（１０１）によって実行される、
請求項９に記載の方法。
【請求項１１】
セルラーネットワーク（１０２）のノード（１０２ｂ、１０２ｃ）であって、
前記ノード（１０２ｂ、１０２ｃ）が、
第１の周波数帯域（１１１）において前記セルラーネットワーク（１０２）に接続された通信デバイス（１０１）と通信し、第２の周波数帯域（１１２）において前記通信デバイスと通信するように構成されたワイヤレスインターフェース（１０２ｂ−１）であって、前記第２の周波数帯域（１１２）が、前記第１の周波数帯域（１１１）とは少なくとも部分的に異なる、ワイヤレスインターフェース（１０２ｂ−１）と、
前記第１の周波数帯域（１１１）において前記ワイヤレスインターフェース（１０２ｂ−１）を介して前記通信デバイス（１０１）にデータパケット（２９０）を送信するように構成された少なくとも１つのプロセッサ（１０２ｂ−２）と
を備え、前記少なくとも１つのプロセッサ（１０２ｂ−２）が、さらに、前記データパケット（２９０）の受信が前記通信デバイス（１０１）によって確認応答されたかどうかをチェックするように構成され、
前記少なくとも１つのプロセッサ（１０２ｂ−２）が、さらに、前記チェックに応じて、前記第２の周波数帯域（１１２）において前記ワイヤレスインターフェース（１０２ｂ−１）を介して前記通信デバイス（１０１）に前記データパケット（２９０）を選択的に送るように構成され、
前記少なくとも１つのプロセッサ（１０２ｂ−２）が、第１の自動再送要求方式（５０１）を使用して前記第１の周波数帯域（１１１）において前記ワイヤレスインターフェース（１０２ｂ−１）を介して前記通信デバイス（１０１）に前記データパケット（２９０）を送るように構成され、
前記少なくとも１つのプロセッサ（１０２ｂ−２）が、さらに、第２の自動再送要求方式（５０２）を使用して前記第２の周波数帯域（１１１）において前記ワイヤレスインターフェース（１０２ｂ−１）を介して前記通信デバイス（１０１）に前記データパケット（２９０）を選択的に送るように構成され、
前記第１の自動再送要求方式と前記第２の自動再送要求方式とでは、送信リトライタイマーが異なり、
前記データパケットを選択的に送ることは、前記第１の周波数帯域において送信した前記データパケットのうち、前記確認応答がされなかった前記データパケットを送ることである、
ノード（１０２ｂ、１０２ｃ）。
【請求項１２】
前記少なくとも１つのプロセッサ（１０２ｂ−２）が、前記第１の周波数帯域（１１１）における干渉状況、および前記通信デバイス（１０１）から受信された品質報告のうちの少なくとも１つに基づいて、前記第１の自動再送要求方式（５０１）の特性を決定するように構成される、
請求項１１に記載のノード（１０２ｂ、１０２ｃ）。
【請求項１３】
前記少なくとも１つのプロセッサ（１０２ｂ−２）が、前記第１の周波数帯域（１１１）における前記ワイヤレスインターフェース（１０２ｂ−１）を介した前記通信デバイス（１０１）への前記データパケット（２９０）の前記送信の一部として、
前記データパケット（２９０）の送信タイムアウト（２８０−１、２８０−２）を監視し、
前記チェックが、前記データパケット（２９０）の前記受信が前記通信デバイス（１０１）によって確認応答されず、前記送信タイムアウト（２８０−１、２８０−２）の前記監視次第であることをもたらす場合、前記第１の周波数帯域（１１１）において前記通信デバイス（１０１）に前記ワイヤレスインターフェース（１０２ｂ−１）を介して前記データパケット（２９０）を選択的に再送する
ように構成される、請求項１１または１２に記載のノード（１０２ｂ、１０２ｃ）。
【請求項１４】
前記少なくとも１つのプロセッサ（１０２ｂ−２）が、前記送信タイムアウト（２８０−１、２８０−２）の前記監視が前記データパケット（２９０）の経過した送信タイムアウト（２８０−１、２８０−２）をもたらす場合、前記第２の周波数帯域（１１２）における前記ワイヤレスインターフェース（１０２ｂ−１）を介した前記通信デバイス（１０１）への前記データパケット（２９０）の前記送信を選択的に実行するように構成される、
請求項１３に記載のノード（１０２ｂ、１０２ｃ）。
【請求項１５】
前記少なくとも１つのプロセッサ（１０２ｂ−２）が、所定の閾値と、送信タイムアウトタイマーおよび再送カウンタのうちの少なくとも１つとの間の閾値比較を実行することによって、前記データパケット（２９０）の前記送信タイムアウト（２８０−１、２８０−２）を監視するように構成され、
前記所定の閾値が、前記データパケット（２９０）の存続期間の表示よりも短い持続時間の間、前記第１の周波数帯域（１１１）において前記通信デバイス（１０１）に前記データパケット（２９０）を送ることに対応する、
請求項１３または１４に記載のノード（１０２ｂ、１０２ｃ）。
【請求項１６】
前記少なくとも１つのプロセッサ（１０２ｂ−２）が、前記第２の周波数帯域（１１２）における前記ワイヤレスインターフェース（１０２ｂ−１）を介した前記通信デバイス（１０１）への前記データパケット（２９０）の前記送信の一部として、
前記データパケット（２９０）のさらなる送信タイムアウト（２８０−１、２８０−２）を監視し、
前記チェックが、前記データパケット（２９０）の前記受信が前記通信デバイス（１０１）によって確認応答されず、前記さらなる送信タイムアウト（２８０−１、２８０−２）の前記監視次第であることをもたらす場合、前記第２の周波数帯域（１１２）において前記通信に前記ワイヤレスインターフェース（１０２ｂ−１）を介して前記データパケット（２９０）を選択的に再送する
ように構成され、前記少なくとも１つのプロセッサ（１０２ｂ−２）が、さらなる所定の閾値と、さらなる送信タイムアウトタイマーおよびさらなる再送カウンタのうちの少なくとも１つとの間のさらなる閾値比較を実行することによって、前記データパケット（２９０）の前記さらなる送信タイムアウト（２８０−１、２８０−２）を監視するように構成され、
前記さらなる所定の閾値が、前記データパケット（２９０）の前記存続期間の表示よりも短い持続時間の間、前記第２の周波数帯域（１１２）において前記通信デバイス（１０１）に前記データパケット（２９０）を送ることに対応する、
請求項１５に記載のノード（１０２ｂ、１０２ｃ）。
【請求項１７】
前記少なくとも１つのプロセッサ（１０２ｂ−２）が、前記第１の周波数帯域（１１１）における送信の干渉状況、および前記データパケット（２９０）の前記存続期間の表示のうちの少なくとも１つに基づいて、前記所定の閾値、および前記さらなる所定の閾値のうちの少なくとも１つを決定するように構成され、
前記少なくとも１つのプロセッサ（１０２ｂ−２）が、前記第２の周波数帯域（１１２）において前記通信デバイス（１０１）に前記ワイヤレスインターフェース（１０２ｂ−１）を介して前記所定の閾値および前記さらなる所定の閾値のうちの少なくとも１つを示す制御メッセージを送るようにさらに構成される、
請求項１５または１６に記載のノード（１０２ｂ、１０２ｃ）。
【請求項１８】
前記第１の周波数帯域（１１１）が無認可周波数帯域であり、前記ワイヤレスインターフェース（１０２ｂ−１）が、前記第１の周波数帯域（１１１）において認可補助アクセスデータ送信手順に従って送受信するように構成され、
前記第２の周波数帯域（１１２）が認可周波数帯域であり、前記ワイヤレスインターフェース（１０２ｂ−１）が、前記第２の周波数帯域（１１２）においてＬＴＥ認可データ送信手順に従って送受信するように構成される、
請求項１１〜１７のいずれか一項に記載のノード（１０２ｂ、１０２ｃ）。
【請求項１９】
セルラーネットワーク（１０２）のノード（１０２ｂ、１０２ｃ）の少なくとも１つのプロセッサ（１０２ｂ−２）が、第１の周波数帯域（１１１）において前記ノード（１０２ｂ、１０２ｃ）のワイヤレスインターフェース（１０２ｂ−１）を介して前記セルラーネットワーク（１０２）に接続された通信デバイス（１０１）にデータパケット（２９０）を送ることと、
前記少なくとも１つのプロセッサ（１０２ｂ−２）が、前記データパケット（２９０）の受信が前記通信デバイス（１０１）によって確認応答されたかどうかをチェックすることと、
前記チェックに応じて、前記少なくとも１つのプロセッサ（１０２ｂ−２）が、第２の周波数帯域（１１２）において前記ワイヤレスインターフェース（１０１−１）を介して前記通信デバイス（１０１）に前記データパケット（２９０）を選択的に送ることであって、前記第２の周波数帯域（１１２）が、前記第１の周波数帯域（１１１）とは少なくとも部分的に異なることと、
前記少なくとも１つのプロセッサ（１０２ｂ−２）が、第１の自動再送要求方式（５０１）を使用して前記第１の周波数帯域（１１１）において前記ワイヤレスインターフェース（１０２ｂ−１）を介して前記通信デバイス（１０１）に前記データパケット（２９０）を送ることと、
前記少なくとも１つのプロセッサ（１０２ｂ−２）が、さらに、第２の自動再送要求方式（５０２）を使用して前記第２の周波数帯域（１１１）において前記ワイヤレスインターフェース（１０２ｂ−１）を介して前記通信デバイス（１０１）に前記データパケット（２９０）を選択的に送ることと、
を含み、
前記第１の自動再送要求方式と前記第２の自動再送要求方式とでは、送信リトライタイマーが異なり、
前記データパケットを選択的に送ることは、前記第１の周波数帯域において送信した前記データパケットのうち、前記確認応答がされなかった前記データパケットを送ることである、方法。
【請求項２０】
セルラーネットワーク（１０２）のノード（１０２ｂ、１０２ｃ）であって、
前記ノード（１０２ｂ、１０２ｃ）が、
第１の周波数帯域（１１１）において前記セルラーネットワーク（１０２）に接続された通信デバイス（１０１）と通信し、第２の周波数帯域（１１２）において前記通信デバイスと通信するように構成されたワイヤレスインターフェース（１０２ｂ−１）であって、前記第２の周波数帯域（１１２）が、前記第１の周波数帯域（１１１）とは少なくとも部分的に異なる、ワイヤレスインターフェース（１０２ｂ−１）と、
前記第１の周波数帯域（１１１）において前記ワイヤレスインターフェース（１０２ｂ−１）を介して前記通信デバイス（１０１）からデータパケット（２９０）を受信するように構成された少なくとも１つのプロセッサ（１０２ｂ−２）と
を備え、前記少なくとも１つのプロセッサ（１０１−２）が、さらに、前記データパケット（２９０）の受信が成功であるかどうかをチェックするように構成され、
前記少なくとも１つのプロセッサ（１０２ｂ−２）が、さらに、前記チェックに応じて、前記第２の周波数帯域（１１２）において前記ワイヤレスインターフェース（１０２ｂ−１）を介して前記通信デバイス（１０１）から前記データパケット（２９０）を選択的に受信するように構成され、
前記少なくとも１つのプロセッサ（１０２ｂ−２）が、第１の自動再送要求方式（５０１）を使用して前記第１の周波数帯域（１１１）において前記ワイヤレスインターフェース（１０２ｂ−１）を介して前記通信デバイス（１０１）に前記データパケット（２９０）を受信するように構成され、
前記少なくとも１つのプロセッサ（１０２ｂ−２）が、さらに、第２の自動再送要求方式（５０２）を使用して前記第２の周波数帯域（１１１）において前記ワイヤレスインターフェース（１０２ｂ−１）を介して前記通信デバイス（１０１）に前記データパケット（２９０）を選択的に受信するように構成され、
前記第１の自動再送要求方式と前記第２の自動再送要求方式とでは、送信リトライタイマーが異なり、
前記データパケットを選択的に受信することは、前記第１の周波数帯域において受信した前記データパケットのうち、受信に成功しなかった前記データパケットを受信することである、ノード（１０２ｂ、１０２ｃ）。
【請求項２１】
前記少なくとも１つのプロセッサ（１０２ｂ−２）が、前記第１の周波数帯域（１１１）における干渉状況、および前記通信デバイス（１０１）から受信された品質報告のうちの少なくとも１つに基づいて、前記第１の自動再送要求方式（５０１）の特性を決定するように構成され、
前記少なくとも１つのプロセッサ（１０２ｂ−２）が、前記第１の周波数帯域（１１１）および前記第２の周波数帯域（１１２）のうちの少なくとも１つにおいて前記ワイヤレスインターフェース（１０２ｂ−１）を介して前記通信デバイス（１０１）に制御メッセージを送るように構成され、前記制御メッセージが、前記第１の自動再送要求方式（５０１）の前記決定された特性を示す、
請求項２０に記載のノード（１０２ｂ、１０２ｃ）。
【請求項２２】
前記少なくとも１つのプロセッサ（１０２ｂ−２）が、前記チェックに応じて、前記データパケットの受信の肯定応答および否定応答のうちの少なくとも１つを送るように構成される、
請求項２０または２１に記載のノード（１０２ｂ、１０２ｃ）。
【発明の詳細な説明】
【技術分野】
【０００１】
様々な実施形態は、通信デバイス、セルラーネットワークのノード、および対応する方法に関する。特に、様々な実施形態は、通信デバイスとセルラーネットワークとの間のアップリンク送信および／またはダウンリンク送信を保護する技術に関する。
【背景技術】
【０００２】
モバイル音声およびデータ通信の普及の増加に伴い、高速音声およびデータ通信に対する需要がますます高まっている。セルラー通信のための認可スペクトルは、高密度で増加する加入者ベースによって急速に使い果たされている。これは、特に、伝搬損失特性の低い有益な低周波数帯に当てはまる。
【０００３】
かなりの量の無認可スペクトルまたは無認可帯域が利用可能である。説明のために、５ＧＨｚの周波数帯域では、かなりの量のスペクトルがグローバルに利用可能である。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）によって規定されているＬＴＥ（Ｌｏｎｇ  Ｔｅｒｍ  Ｅｖｏｌｕｔｉｏｎ）無線アクセス技術内では、無認可帯域を使用することが望ましい。無認可帯域において認可周波数帯域の容量を増大させるには、ライセンス補助アクセスＬＴＥ（ＬＡＡ−ＬＴＥ）手順を利用することが望ましい。ＬＡＡ−ＬＴＥは、モバイルサービスのためのデータトラフィックを搬送するために使用され得る。ＬＡＡ−ＬＴＥの目的は、ＬＴＥセルラー通信を無認可スペクトルに拡張することである。時に、ＬＡＡ−ＬＴＥは、ＬＴＥ無認可（ＬＴＥ−Ｕ）と呼ばれることもある。
【０００４】
認可周波数帯域では、一般的に、周波数および時間領域の両方において、リソース管理に対するオペレータ制御がある。これは、オペレータ制御されたネットワーク展開と呼ばれる。さらに、自動再送要求（ＡＲＱ）方式を使用することによって送信が保護され得る。一般的に、リソース管理および／またはＡＲＱ方式は、国際電気通信連合（ＩＴＵ）によって規格化されたＯＳＩ（Ｏｐｅｎ  Ｓｙｓｔｅｍ  Ｉｎｎｔｅｒｃｏｎｎｅｃｔｉｏｎ）モデルによる媒体アクセス（ＭＡＣ）層を含むデータリンク層において、かなりの程度、実施されている。
【０００５】
ＬＡＡ−ＬＴＥまたはデータパケットの送信を使用することは、一般的に、送信の信頼性の点で、制限に直面する。正常な送信の保護は、限られた程度までしか可能ではない場合がある。例えば、認可スペクトルと比較すると、媒体が異なる当事者の間で多かれ少なかれ制御されない方法で共有されるので、ＡＲＱプロセスはあまり予測できない可能性がある。例えば、無認可帯域内の送信チャネルは、第三者によって使用することができる。例えば、無認可帯域は、他のネットワークプロバイダ、個人、および他のビジネスセグメントによって使用することができる。第三者は、ＬＴＥ、ワイヤレスローカルエリアネットワーク（ＷｉＦｉ）、レーダー、および／または他の通信問題を使用する可能性がある。いわゆる隠れノード問題は、送信デバイスが干渉する無線信号を検出できない場合に発生する可能性がある。
【発明の概要】
【発明が解決しようとする課題】
【０００６】
したがって、通信デバイスとセルラーネットワークとの間のアップリンク送信および／またはダウンリンク送信を保護する高度な技術を提供する必要がある。特に、信頼できるアップリンク送信および／またはダウンリンク送信が保証されると同時に、無認可スペクトルおよび／またはＬＡＡ−ＬＴＥによって提供される機会を利用するような技術が必要である。
【０００７】
この必要性は、独立クレームの特徴によって満たされる。従属クレームは、実施形態を定義する。
【課題を解決するための手段】
【０００８】
一態様によれば、通信デバイスが提供される。通信デバイスは、ワイヤレスインターフェースを備える。ワイヤレスインターフェースは、第１の周波数帯域においてセルラーネットワークと通信するように構成される。ワイヤレスインターフェースは、さらに、第２の周波数帯域においてセルラーネットワークと通信するように構成される。第２の周波数帯域は、第１の周波数帯域とは少なくとも部分的に異なる。通信デバイスは、少なくとも１つのプロセッサをさらに備える。少なくとも１つのプロセッサは、第１の周波数帯域においてワイヤレスインターフェースを介してセルラーネットワークにデータパケットを送るように構成される。少なくとも１つのプロセッサは、さらに、データパケットの受信がセルラーネットワークによって確認応答されたかどうかをチェックするように構成される。少なくとも１つのプロセッサは、さらに、前記チェックに応じて、第２の周波数帯域においてワイヤレスインターフェースを介してセルラーネットワークにデータパケットを選択的に送るように構成される。
【０００９】
一態様によれば、方法が提供される。この方法は、通信デバイスの少なくとも１つのプロセッサが、第１の周波数帯域において通信デバイスのワイヤレスインターフェースを介してセルラーネットワークにデータパケットを送ることを含む。この方法は、少なくとも１つのプロセッサが、データパケットの受信がセルラーネットワークによって確認応答されたかどうかをチェックすることをさらに含む。この方法は、前記チェックに応じて、少なくとも１つのプロセッサが、第２の周波数帯域においてワイヤレスインターフェースを介してセルラーネットワークにデータパケットを選択的に送ることをさらに含む。第２の周波数帯域は、第１の周波数帯域とは少なくとも部分的に異なる。
【００１０】
一態様によれば、セルラーネットワークのノードが提供される。前記ノードは、ワイヤレスインターフェースを備える。前記ワイヤレスインターフェースは、第１の周波数帯域において前記セルラーネットワークに接続された通信デバイスと通信するように構成される。前記ワイヤレスインターフェースは、第２の周波数帯域において前記通信デバイスと通信するようにさらに構成される。前記第２の周波数帯域は、前記第１の周波数帯域とは少なくとも部分的に異なる。前記ノードは、少なくとも１つのプロセッサをさらに備える。
前記少なくとも１つのプロセッサは、前記第１の周波数帯域において前記ワイヤレスインターフェースを介して前記通信デバイスにデータパケットを送るように構成される。前記少なくとも１つのプロセッサは、さらに、前記データパケットの受信が前記通信デバイスによって確認応答されたかどうかをチェックするように構成される。前記少なくとも１つのプロセッサは、さらに、前記チェックに応じて、前記第２の周波数帯域において前記ワイヤレスインターフェースを介して前記通信デバイスに前記データパケットを選択的に送るように構成される。
【００１１】
一態様によれば、方法が提供される。前記方法は、セルラーネットワークのノードの少なくとも１つのプロセッサが、第１の周波数帯域において前記ノードのワイヤレスインターフェースを介して前記セルラーネットワークに接続された通信デバイスにデータパケットを送ることを含む。前記方法は、前記少なくとも１つのプロセッサが、前記データパケットの受信が前記通信デバイスによって確認応答されたかどうかをチェックすることをさらに含む。前記方法は、前記チェックに応じて、前記少なくとも１つのプロセッサが、第２の周波数帯域において前記ワイヤレスインターフェースを介して前記通信デバイスに前記データパケットを選択的に送ることをさらに含む。前記第２の周波数帯域は、前記第１の周波数帯域とは少なくとも部分的に異なる。
【００１２】
さらなる態様によれば、セルラーネットワークのノードが提供される。前記ノードは、ワイヤレスインターフェースを備える。前記ワイヤレスインターフェースは、第１の周波数帯域において前記セルラーネットワークに接続された通信デバイスと通信するよう構成される。前記ワイヤレスインターフェースは、第２の周波数帯域において前記通信デバイスと通信するようにさらに構成される。前記第２の周波数帯域は、前記第１の周波数帯域とは少なくとも部分的に異なる。前記ノードは、前記第１の周波数帯域において前記ワイヤレスインターフェースを介して前記通信デバイスからデータパケットを受信するように構成された少なくとも１つのプロセッサをさらに備える。前記少なくとも１つのプロセッサは、さらに、前記データパケットの受信が成功であるかどうかをチェックするように構成される。前記少なくとも１つのプロセッサは、さらに、前記チェックに応じて、前記第２の周波数帯域において前記ワイヤレスインターフェースを介して前記通信デバイスから前記データパケットを選択的に受信するように構成される。
【００１３】
さらなる態様によれば、方法が提供される。前記方法は、セルラーネットワークのノードの少なくとも１つのプロセッサが、第１の周波数帯域において前記ノードのワイヤレスインターフェースを介して通信デバイスからデータパケットを受信することを含む。前記方法は、前記少なくとも１つのプロセッサが、前記データパケットの受信が成功であるかどうかをチェックすることをさらに含む。前記方法は、前記少なくとも１つのプロセッサが、前記チェックに応じて、前記第２の周波数帯域において前記ワイヤレスインターフェースを介して前記通信デバイスから前記データパケットを選択的に受信することをさらに含む。前記第２の周波数帯域は、前記第１の周波数帯域とは少なくとも部分的に異なる。
【００１４】
一態様によれば、通信デバイスが提供される。通信デバイスは、第１の周波数帯域においてセルラーネットワークと通信し、第２の周波数帯域においてセルラーネットワークと通信するように構成されるワイヤレスインターフェースを備える。第２の周波数帯域は、第１の周波数帯域とは少なくとも部分的に異なる。通信デバイスは、少なくとも１つのプロセッサをさらに備える。少なくとも１つのプロセッサは、第１の周波数帯域においてワイヤレスインターフェースを介してセルラーネットワークからデータパケットを受信するように構成される。少なくとも１つのプロセッサは、さらに、前記データパケットの受信が成功であるかどうかをチェックするように構成される。少なくとも１つのプロセッサは、さらに、前記チェックに応じて、第２の周波数帯域においてワイヤレスインターフェースを介してセルラーネットワークからデータパケットを選択的に受信するように構成される。
【００１５】
一態様によれば、方法が提供される。前記方法は、セルラーネットワークに接続する通信デバイスの少なくとも１つのプロセッサが、第１の周波数帯域において前記通信デバイスのワイヤレスインターフェースを介してセルラーネットワークからデータパケットを受信することを含む。前記方法は、前記少なくとも１つのプロセッサが、前記データパケットの受信が成功であるかどうかをチェックすることをさらに含む。前記方法は、前記少なくとも１つのプロセッサが、前記チェックに応じて、前記第２の周波数帯域において前記ワイヤレスインターフェースを介してセルラーネットワークから前記データパケットを選択的に受信することをさらに含む。前記第２の周波数帯域は、前記第１の周波数帯域とは少なくとも部分的に異なる。
【図面の簡単な説明】
【００１６】
同じまたは類似の参照番号が同じまたは類似の要素を示す添付の図面を参照しながら、本発明の実施形態について説明する。
【００１７】
【図１】様々な実施形態による、第１の周波数帯域を介して、および第２の周波数帯域を介してセルラーネットワークと通信するセルラーネットワークに接続された通信デバイスの概略表現である。
【図２】様々な実施形態による、通信デバイスからセルラーネットワークへのデータパケットのアップリンク送信の保護を示すシグナリング図である。
【図３】様々な実施形態による、セルラーネットワークから通信デバイスへのデータパケットのダウンリンク送信の保護を示すシグナリング図である。
【図４】様々な実施形態による、通信デバイスからセルラーネットワークへのデータパケットのアップリンク送信の保護を示すシグナリング図である。
【図５】様々な実施形態による、データパケットの送信の保護のための第１のＡＲＱ方式および第２のＡＲＱ方式の概略図である。
【図６】様々な実施形態による、データパケットの概略図である。
【図７】様々な実施形態による、通信デバイスのより詳細な概略図である。
【図８】様々な実施形態による、セルラーネットワークのノードの概略図である。
【発明を実施するための形態】
【００１８】
図面を参照しながら、本発明の例示的な実施形態について説明する。例えばいくつかのスペクトル範囲および通信技術の文脈など、特定の適用分野の文脈でいくつかの実施形態について説明するが、実施形態は、この適用分野に限定されない。特に明記されない限り、様々な実施形態の特徴が互いに結合され得る。
【００１９】
図面は概略表現であるとみなされ、図面に示される要素は、必ずしも縮尺通りに示されていない。むしろ、様々な要素は、それらの機能および一般的目的が当業者に明らかになるように表される。図面に示されている、または本明細書に記載されている機能ブロック、デバイス、構成要素、または他の物理的もしくは機能的ユニット間の任意の接続もしくは結合は、間接的な接続もしくは結合によっても実現され得る。構成要素間の結合は、ワイヤレス接続を介して確立されてもよい。機能ブロックは、ハードウェア、ファームウェア、ソフトウェア、またはそれらの組合せで実装され得る。
【００２０】
以下、通信デバイスからセルラーネットワークへのデータパケットのアップリンク送信を保護する技術について説明する。さらに、セルラーネットワークから通信デバイスへのデータパケットのダウンリンク送信を保護する技術について説明する。両方の技術は、まず、第１の周波数帯域を介してデータパケットを送信することに関し、データパケットの受信が成功したかどうかに応じて、データパケットは、第２の周波数帯域を介して選択的に送信される。これに関して、例えば、否定応答されなかった、および／または肯定応答されたなど、データパケットの受信が肯定応答されたかどうかをチェックすることが可能である。
【００２１】
以下では、説明のために、主に、３ＧＰＰ  ＬＴＥ無線アクセス技術に依存するデータパケットの送信について言及する。特に、無認可周波数帯域である第１の周波数帯域、およびＬＡＡ−ＬＴＥ送信手順による無認可周波数帯域を介したデータパケットの送受信について言及し、単純化のために、第１の周波数帯域は、したがって、ＬＡＡ−ＬＴＥ周波数帯域と呼ばれる。同様に、主に、認可周波数帯域である第２の周波数帯域、および従来の認可されたＬＴＥデータ送信手順による認可周波数帯域（ＬＴＥ周波数帯域）を介したデータパケットの送受信について言及する。しかし、そのような技術は、異なる種類の周波数帯域および異なる種類の無線アクセス技術に容易に適用され得ることを理解されたい。例えば、第１の周波数帯域を介した通信が３ＧＰＰ  ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）無線アクセス技術によるものであり、第２の周波数帯域を介した通信が３ＧＰＰ  ＬＴＥ無線アクセス技術によるものであるシナリオが可能であり、第１の周波数帯域においてデータパケットを送信することは、リッスンビフォアトークトラフィック制御技術を使用することが可能である。第２の周波数帯域におけるデータパケットの送信は、トラフィック制御技術として中央リソーススケジューリング方式を使用し得る。したがって、衝突回避技術は、第１の周波数帯域ではボトムアップ手法、および第２の周波数帯域ではトップダウン手法に従い得る。
【００２２】
図１には、通信デバイス（ＵＥ）１０１とセルラーネットワーク１０２（図１にはＮＥＴと表示されている）との間の通信が示されている。図１からわかるように、通信に利用可能な２つの通信チャネルがある。第１の通信チャネルは、第１の周波数帯域１１１を使用し、第２の通信チャネルは、第２の周波数帯域１１２を使用する。図１のシナリオでは、通信は、３ＧＰＰ  ＬＴＥアクセス技術に従う。第１のＬＡＡ−ＬＴＥ周波数帯域１１１を介した通信は、３ＧＰＰ  ＬＡＡ−ＬＴＥ無線アクセス技術を使用し、第２のＬＴＥ周波数帯域１１２を介した通信は、従来の３ＧＰＰ  ＬＴＥ無線アクセス技術を使用する。図１における送信は、ＵＥ１０１とセルラーネットワーク１０２との間で双方向であり、ＵＥ１０１からセルラーネットワーク１０２へのアップリンク送信１８１が可能であり、セルラーネットワーク１０２からＵＥ１０１へのダウンリンク送信１８２が可能である。
【００２３】
一般に、ＵＥ１０１のタイプおよび種類は特には限定されない。例えば、ＵＥ１０１は、モバイルフォン、スマートフォン、タブレット、携帯情報端末、モバイル音楽プレーヤ、スマートウォッチ、ウェアラブル電子機器、およびモバイルコンピュータのうちの１つであり得る。
【００２４】
図１のシナリオでは、セルラーネットワーク１０２は、それぞれＬＡＡ−ＬＴＥ周波数帯域１１１およびＬＴＥ周波数帯域１１２を介した通信のための発展型ノードＢ（ｅＮＢ）１０２ｂ、１０２ｃの形態の２つのアクセスノードを含む。２つのアクセスノードが使用されているので、このシナリオはデュアル接続と呼ばれることがある。１つの同じアクセスノードがＬＡＡ−ＬＴＥ周波数帯域１１１およびＬＴＥ周波数帯域１１２を介した通信をサポートすることも可能であり、そのようなシナリオでは、単一のアクセスノードが使用されているので、このシナリオは、コロケートと呼ばれることがある。２つのアクセスノードが使用されている場合、２つのアクセスノードがコロケートされる場合がある。ｅＮＢ１０２ｂ、１０２ｂは、セルラーネットワーク１０２のコアネットワーク１０２ａに接続されている。
【００２５】
図１には、ＵＥ１０１とセルラーネットワーク１０２との間の送信１８１、１８２が２つの周波数帯域１１１、１１２に依存するシナリオが示されている。一般に、ＵＥ１０１とセルラーネットワーク１０２との間の送信１８１、１８２は、多数の周波数帯域（図１には図示せず）に依存することが可能である。例えば、送信１８１、１８２に利用可能な無認可周波数帯域が複数存在する可能性がある。そのとき、送信１８２、１８２が、認可周波数帯域１１２と、すべての利用可能な無認可周波数帯域との間に分散される可能性がある。
【００２６】
さらに、図１には、ＬＡＡ−ＬＴＥ周波数帯域１１２がＬＴＥ周波数帯域１１１とは異なる、すなわち周波数空間において重ならないシナリオが示されている。一般に、周波数帯域１１１、１２１は、少なくとも部分的に互いに異なる可能性があり、例えば、周波数帯域１１１、１１２は、周波数空間において少なくとも部分的に重なる可能性がある。
【００２７】
以下では、ＵＥ１０１とセルラーネットワーク１０２との間の１つ以上のデータパケットの送信１８１、１８２を保護することを可能にする技術について説明する。この保護は、フォールバックシナリオを使用する。ＬＡＡ−ＬＴＥ周波数帯域１１１を介した送信１８１、１８２が不成功であるか失敗した場合、ＬＴＥ周波数帯域１１２を介した送信１８１、１８２がフォールバックとして使用される。後述する技術によれば、このフォールバックは構成可能であり、すなわち、フォールバックをトリガするトリガ基準は、セルラーネットワーク１０２とＵＥ１０１との間で柔軟に設定され、および／またはネゴシエートされ得る。
【００２８】
例えば、ＬＴＥ周波数帯域１１２を介した送信１８１、１８２へのフォールバックのための１つのトリガ基準は、ＬＡＡ−ＬＴＥ周波数帯域１１１を介した１つ以上のデータパケットの送信１８１、１８２の確認応答とすることができる。例えば、セルラーネットワーク１０２のＵＥ１０１からのアップリンク送信１８１が保護されているシナリオでは、受信エンティティ１０１、１０２が１つ以上のデータパケットが正常に受信されたかどうかをチェックすることが可能であり、これは、受信ウィンドウ技術および／または確認応答要求を使用することによって達成され得る。前記チェックに応じて、受信エンティティ１０１、１０２は、１つ以上のデータパケットの送信１８１、１８２に肯定応答および／または否定応答することが可能である。これは専用の確認応答メッセージによって行われ得る。ブロック確認応答および／または暗黙的な確認応答に依存され得る。次いで、送信エンティティ１０１、１０２は、確認応答ステータスをチェックし、この確認応答ステータスを、フォールバックをトリガするための決定基準として使用し得る。
【００２９】
以下に例を示す。例えば、アップリンク送信１８１の保護では、ＵＥ１０１は、１つ以上のデータパケットの受信がセルラーネットワーク１０２によって確認応答されたかどうかをチェックすることが可能である。次いで、前記チェックに応じて、ＵＥ１０１が、１つ以上のデータパケットをＬＴＥ周波数帯域１０２においてセルラーネットワーク１０２に選択的に送るように構成されることが可能である。同様に、セルラーネットワーク１０２からＵＥ１０１へのダウンリンク送信１８２が保護されるシナリオでは、ｅＮＢ１０２ｃは、ＵＥ１０１によって１つ以上のデータパケットの受信が確認応答されるかどうかをチェックすることが可能であり、次いで、前記チェックに応じて１つ以上のデータパケットをＬＴＥ周波数帯域１１２においてＵＥ１０１に選択的に送るように、ｅＮＢ１０２ｂを構成することができる。
【００３０】
例えば、上述のようなアップリンク送信１８１およびダウンリンク送信１８２のシナリオでは、１つ以上のデータパケットの送信１８１、１８２の肯定応答および／または否定応答が監視されることが可能である。例えば、ＵＥ１０１とセルラーネットワーク１０２との間の１つ以上のデータパケットの成功した送信１８１、１８２が肯定応答されない場合、ＬＴＥ周波数帯域１１２へのフォールバックがトリガされる可能性がある。同様に、ＵＥ１０１とセルラーネットワーク１０２との間の１つ以上のデータパケットの送信１８１、１８２について否定応答のみが受信された、または確認応答がまったく受信されない場合、ＬＴＥ周波数帯域１１２を介した送信へのフォールバックがトリガされる可能性がある。上記からわかるように、ＬＴＥ周波数帯域１１２を介した送信１８１、１８２のフォールバックをトリガするための様々なトリガ基準が考えられる。一般に、そのような決定基準を、様々な実施形態に従って様々な方法で組み合わせることができる。
【００３１】
説明したような技術を使用することによって、様々な効果を達成することができる。例えば、比較的高い送信信頼性が達成される可能性がある。これは、送信１８１、１８２がＬＡＡ−ＬＴＥ周波数帯域１１１を介して最初に試みられ、次いで、さらに、ＬＴＥ周波数帯域１１２を介して試みられるためであり得る。特に、ＬＴＥ周波数帯域１１２を介した送信１８１、１８２は、比較的フェイルセーフで信頼できる可能性がある。ハイブリッドＡＲＱ（ＨＡＲＱ）方式および前方誤り訂正（ＦＥＣ）のような様々な保護技術に基づいて、ＬＡＡ−ＬＴＥ周波数帯域１１１および／またはＬＴＥ周波数帯域１１２における送信保護が可能であり得る。例えば、ＬＡＡ−ＬＴＥ周波数帯域１１１においてＬＡＡ−ＬＴＥプロトコルを使用する保護された送信が失敗した場合、残りのＨＡＲＱ手順は、ＬＴＥ周波数帯域１１２において実行することができる。さらなる効果として、ＬＴＥ周波数帯域１１２に課されるシグナリング負荷を低減することが可能であり得、これは、ＬＡＡ−ＬＴＥ周波数帯域１１１において送信１８１、１８２の第１の試行が実行されるからである。
【００３２】
一般に、ＬＡＡ−ＬＴＥ周波数帯域１１１を介した１つ以上のデータパケットの送信機１８１、１８２が第１のＨＡＲＱ方式を使用して保護されている可能性があり、同様に、第２のＡＲＱ方式を使用して、ＬＴＥ周波数帯域１１２を介した送信機１８１、１８２を保護することができる。ここでは、第１および第２のＨＡＲＱ方式は、送信リトライカウンタ、送信タイムアウトタイマー、送信リトライタイマー、ブロック確認応答、および／または即時確認応答など、１つ以上の対応する構成パラメータに関して異なる場合がある。そのような技術により、一方ではデータパケットの送信の信頼性と、ＬＡＡ−ＬＴＥ周波数帯域１１１とＬＴＥ周波数帯域１１２との間の負荷バランシングとのより良いバランスが達成され得る。
【００３３】
図２を参照すると、データパケット２９０のアップリンク送信１８１が保護されるシナリオについて、ＵＥ１０１とｅＮＢ１０２ｂ、１０２ｃとの間の通信のシグナリング図が示されている。
【００３４】
図２には、ＵＥ１０１は、送信バッファを実施するように制御されたメモリ（図２には図示せず）を有する。例えば、送信バッファは、ＩＴＵ  ＯＳＩモデルによるＭＡＣ層に存在し得る。２０１で、データパケット２９０が上位層から受信され、送信バッファに書き込まれる。
【００３５】
２０１の実行は、送信タイムアウトタイマー２８０−１の初期化をトリガする。例えば、送信タイムアウトタイマー２８０−１は、パケット２９０が上位層から受信されたとき、またはパケットが送信バッファに書き込まれたとき、またはしばらく後に初期化されてもよい。
【００３６】
２０２で、データパケット２９０がＬＡＡ−ＬＴＥ周波数帯域１１１を介してｅＮＢ１０２ｃに送られる。ｅＮＢ１０２ｃは、データパケット２９０の受信が成功したかどうかをチェックする。チェックサムが使用され得る。前方誤り訂正（ＦＥＣ）が使用され得る。しかし、図２のシナリオでは、データパケット２９０は、少なくとも部分的に、正常に受信できない。したがって、送信は不成功である。すなわち、データパケット２９０の一部または全部が失われる可能性があり、例えばＦＥＣを使用してデータパケット２９０の欠落部分を再構成することは、可能でない、または比較的低い信頼性でのみ可能であり得る。
【００３７】
２０２で送信が不成功であったので、否定応答２０３がｅＮＢ１０２ｃからＵＥ１０１に送られる。データパケット２９０の送信が成功した（図２には図示せず）場合、肯定応答がｅＮＢ１０２ｃからＵＥ１０１（図２には図示せず）に送られていることになる。
【００３８】
否定応答２０３の送信が成功し、すなわち、ＵＥ１０１が否定応答２０３を受信し、これは、２０２におけるデータパケット２９０の送信が成功しなかったことを示す。この時点で、送信タイムアウトタイマー２８０−１はまだ満了していない。
【００３９】
このため、ＵＥ１０１は、２０４でデータパケット２９０の送信を再試行する。この場合も、データパケット２９０のアップリンク送信１８１は、２０４で不成功であり、否定応答２０５をトリガする。次いで、ＵＥ１０１は、再度、２０６でデータパケット２９０を再送し、この場合も、アップリンク送信１８１は不成功であり、２０７で否定応答の送信をトリガする。わかるように、２０２、２０４、２０６でのデータパケット２９０の送信１８１は、ＬＡＡ−ＬＴＥ周波数帯域１１１を介してデータパケット２９０を正常に送信しようと試みる第１のＡＲＱ方式の一部として行われる。
【００４０】
次いで、再送タイムアウトタイマー２８０−１が満了する。これは、すなわちｅＮＢ１０２ｂへのＬＴＥ周波数帯域１１２を介したデータパケット２９０のアップリンク送信１８１へのフォールバックを実行するためのトリガ基準である。２０８で、ＬＴＥ周波数帯域１１２を介したデータパケット２９０のこのアップリンク送信１８１が開始する。この場合も、２０８でのデータパケット２９０のアップリンク送信１８１は不成功であり、これは、ＬＴＥ周波数帯域１１１を介したｅＮＢ１０２ｂからＵＥ１０１への否定応答２０９の送信をトリガする。ＵＥ１０１は、２０９で否定応答を受信し、２１０でデータパケット２９０の再送をトリガする。最後に、２１０でデータパケット２９０の送信が成功し、すなわち、ｅＮＢ１０２ｂは、エラーなくデータパケット２９０を正常に受信する。２１０でのデータパケット２９０のこの正常な受信は、２１１で肯定応答される。
【００４１】
図２から、ＬＴＥ周波数帯域１１２を介したアップリンク送信１８１はさらなる送信タイムアウトタイマー２８０−２を使用して送信タイムアウトを監視することを伴うことがわかる。さらなる送信タイムアウトタイマー２８０−２は、データパケット２９０の受信がセルラーネットワーク１０２によって２１１で肯定応答される前に満了しない。しかし、パケット２９０が肯定応答される（図２には図示せず）前に、さらなる送信タイムアウトタイマー２８０−２が満了した場合、ノード１０２ｂ、１０２ｃは、そのパケット２９０に関連するすべてのバッファされたデータを受信バッファ（図２には図示せず）から削除することができる。潜在的なさらなる再送は、例えば、送信制御プロトコル（ＴＣＰ）に従って、ＭＡＣ層より高い層によって処理される。
【００４２】
上記から理解されるように、ＬＡＡ−ＬＴＥ周波数帯域１１１を介したデータパケット２９０のアップリンク送信１８１の送信タイムアウトが監視される。送信タイムアウトタイマー２８０−１がまだ満了していないとき、データパケット２９０の受信がセルラーネットワーク１０２によって確認応答されたかどうかをチェックすることは、データパケット２９０の受信が肯定応答されない、すなわち肯定応答が受信されず、否定応答２０３、２０５、２０７のみが受信されることをもたらす。これは、２０４、２０６でＬＡＡ−ＬＴＥ周波数帯域１１１を介したデータパケット２９０の再送をトリガする。送信タイムアウトタイマー２８０−１が満了したとき、データパケット２９０の受信がセルラーネットワーク１０２によって確認応答されたかどうかをチェックすることは、再度、データパケット２９０の受信が肯定応答されないことをもたらす。これは、ＬＡＡ−ＬＴＥ周波数帯域１１２を介したアップリンク送信１８１をトリガする。すなわち、送信タイムアウトの監視がデータパケット２９０の満了した送信タイムアウトタイマー２８０−１をもたらす場合、ＬＴＥ周波数帯域１１２におけるセルラーネットワーク１０２へのデータパケット２９０の送信が実行される。そのような技術によって、ＵＥ１０１およびセルラーネットワーク１０２を含む通信システムが、少なくとも、ＬＴＥ周波数帯域１１２を使用する下位層での正常な送信のために手配する可能性を確実にすることができる。
【００４３】
次に、２０８、２１０でＬＴＥ周波数帯域１１２を介してＵＥ１０１からｅＮＢ１０２ｂへのデータパケット２９０のアップリンク送信１８１について詳細に説明する。上記から理解されるように、さらなる送信タイムアウトがさらなる送信タイムアウトタイマー２８０−２によって監視される。このチェックは、データパケット２９０の受信が、セルラーネットワーク１０２によって確認応答されず、さらなる送信タイムアウトの前記監視次第である場合、ＵＥ１０１は、ＬＴＥ周波数帯域１１２を介してデータパケット２９０を選択的に再送する。これは２１０の場合である。
【００４４】
図２のシナリオでは、送信タイムアウトタイマー２８０−１およびさらなる送信タイムアウトタイマー２８０−２が使用されている。送信タイムアウトタイマー２８０−１、２８０−２に依存する代わりに、またはそれに加えて、１つ以上の再送カウンタ（図２には図示せず）を実装することが可能である。
【００４５】
一般に、送信タイムアウトタイマー２８０−１、２８０−２および／または再送カウンタは、それぞれのＡＲＱ方式の一部であることがわかる。したがって、図２のシナリオでは、ＬＡＡ−ＬＴＥ周波数帯域１１１を介してアップリンク送信１８１を保護するための対応する第１のＡＲＱ方式の特性が設定され、ＬＴＥ周波数帯域１１２を介してアップリンク送信１８２を保護するための対応する第２のＡＲＱ方式のさらなる特性が設定される。ＡＲＱ方式のそのような特性は、固定のルールに従ってあらかじめ設定されていてもよく、代替または追加として、接続ごとにセルラーネットワーク１０２によって構成することができる。後者の場合、３ＧＰＰ  ＬＴＥ無線アクセス技術による無線リソース制御（ＲＲＣ）制御シグナリングが使用され得る。ここでは、ＬＡＡ−ＬＴＥ周波数帯域１１１を介して送信を保護するＡＲＱ方式の特性を設定するためのＲＲＣ制御シグナリングは、ＬＴＥ周波数帯域１１２を介して処理され得ることに留意されたい。
【００４６】
一般に、ＬＡＡ−ＬＴＥ周波数帯域１１１を介したアップリンクおよび／またはダウンリンク送信１８１、１８２の送信タイムアウトの監視、ならびに／あるいはＬＴＥ周波数帯域１１２を介したアップリンクおよび／またはダウンリンク送信１８１、１８２の送信タイムアウトの監視は、閾値の比較に依存する。特に、所定の閾値と、送信タイムアウトタイマー２８０−１、それぞれの再送カウンタ（図２には図示せず）との間で閾値比較を実行することが可能である。所定の閾値は、それが、データパケット２９０の存続期間の表示よりも短い持続時間の間、ＬＡＡ−ＬＴＥ周波数帯域１１１におけるセルラーネットワーク１０２へのデータパケット２９０の送信に対応するように選択することができる。
【００４７】
同様に、さらなる所定の閾値と、さらなる送信タイムアウトタイマー２８０−２、それぞれのさらなる再送カウンタ（図２には図示せず）との間でさらなる閾値比較を実行することが可能である。さらなる所定の閾値は、この場合も、データパケット２９０の存続期間の表示よりも短い持続時間の間、ＬＴＥ周波数帯域１１２におけるセルラーネットワーク１０２へのデータパケット２９０の送信に対応することができる。
【００４８】
送信タイムアウトの監視の実装に応じて、所定の閾値および／またはさらなる所定の閾値は、対応する送信タイムアウトタイマー、それぞれ、再送カウンタの初期値と呼ばれることもある。
【００４９】
上記のようなシナリオでは、データパケット２９０の潜在的に限定された存続期間に鑑みて、送信の試行がＬＡＡ−ＬＴＥ周波数帯域１１１およびＬＴＥ周波数帯域１１２にわたって分散されることが可能である。したがって、データパケット２９０の全存続期間にわたって、両方の周波数帯域１１１、１１２において送信が試みられる。これによって、データパケット２９０の送信が成功する見込みの向上が可能である。
【００５０】
上述したように、対応するＡＲＱ方式の特性としての所定の閾値および／またはさらなる所定の閾値は、例えば、ＬＴＥ周波数帯域１１１において、セルラーネットワーク１０２から受信された制御メッセージに基づいて決定することができ、そのようなシナリオは、セルラーネットワーク１０２内に存在する送信タイムアウトの監視を構成するための決定論理のかなりの程度に対応する。この点で、ＵＥ１０１の動作は、セルラーネットワーク１０２によって少なくとも部分的に遠隔制御される可能性がある。代替または追加として、所定の閾値および／またはさらなる所定の閾値は、データパケット２９０の存続期間の表示によって決定される可能性がある。例えば、データパケット２９０の存続期間の表示は、ＵＥ１０１によって実装されるあらかじめ構成されたサービス品質（ＱｏＳ）のルールに従って暗黙的に与えられ得る。データパケット２９０の存続期間の表示が上位層からＭＡＣ層によって受信されることも可能である。
【００５１】
図３には、図２のシナリオに相当するシナリオが示されているが、図２は、アップリンク送信１８１の保護に関し、図３は、セルラーネットワーク１０２からＵＥ１０１へのダウンリンク送信１８２の保護に関する。
【００５２】
３０１で、データパケット２９０がｅＮＢ１０２ｃのＭＡＣ層によって受信され、それぞれの送信バッファ（図３には図示せず）に記憶される。これは、送信タイムアウトタイマー２８０−１の初期化をトリガする。データパケット２９０は、３０２、３０４、３０６で、ＬＡＡ−ＬＴＥ周波数帯域１１１におけるＵＥ１０１への送信が何度も不成功になる。３０２、３０４、３０６におけるダウンリンク送信１８２のいずれも肯定応答されない。様々なシナリオにおいて、３０２、３０４、３０６におけるダウンリンク送信の各々が否定応答される（図３には図示せず）可能性がある。
【００５３】
次いで、送信タイムアウトの監視は、送信タイムアウトタイマー２８０−１が経過または満了しており、それまで、データパケット２９０は、ＵＥ１０１によって肯定応答されていないことをもたらす。このため、ＬＴＥ周波数帯域１１２へのフォールバックが実行される。ここでは、３０８でのデータパケット２９０の第１のダウンリンク送信１８２は、３０９でＵＥ１０１によって肯定応答され、さらなる再送の試みは必要ない。特に、データパケット２９０の３０８でのダウンリンク送信１８２は、送信タイムアウトの監視がさらなる送信タイムアウトタイマー２８０−２の経過または終了をもたらす前に、３０９で肯定応答される。
【００５４】
図２および図３の比較からわかるように、データパケット２９０のアップリンク送信１８１を保護するために依存される技術は、データパケット２９０のダウンリンク送信１８２を保護するために依存される技術に相当する。例えば、図３に関して、ＬＡＡ−ＬＴＥ周波数帯域１１１においてダウンリンク送信１８２を保護するために使用される第１のＡＲＱ方式が否定応答に依存しないシナリオが示されているが、同様の技術が、第１の周波数帯域１１１（図２参照）においてアップリンク送信１８１を保護するために使用される第１のＡＲＱ方式に関して適用されてもよい。
【００５５】
さらに、図２および図３に関して、データパケット２９０の個々の確認応答に依存する確認応答方式が主に記載されているが、暗黙の確認応答方式および／またはブロック確認応答方式を使用することも可能である。そのような技術は、例えば、送信側ウィンドウおよび／または受信ウィンドウの下限および／または上限をシグナリングすることによって、ならびに／あるいは複数のデータパケットを一度に確認応答することによって、データパケット２９０の受信の多かれ少なかれ暗黙の確認応答に依存し得る。
【００５６】
図４には、さらに別のシナリオが図示されている。図４では、ＬＴＥ周波数帯域１１２を介して送られる制御メッセージ４０１は、ＬＡＡ−ＬＴＥ周波数帯域１１１におけるデータパケットのアップリンク送信１８１を保護するためにＵＥ１０１によって使用される第１のＡＲＱ方式の特性を制御するために使用される。制御メッセージ４０１は、３ＧＰＰ  ＬＴＥ無線アクセス技術のＲＲＣスケジューリングに従うことができる。例えば、制御メッセージ４０１は、送信タイムアウトタイマー２８０−１の値を指定することができる。一般に、ＵＥ１０１および／またはセルラーネットワーク１０２で使用されるＡＲＱ方式の特性は少なくとも部分的に遠隔制御される可能性がある。また、図４のシナリオは、ＵＥ１０１からセルラーネットワーク１０２へのデータパケット２９０のアップリンク送信１８１を保護することに関するが、ダウンリンク送信１８２を保護するために同様の技術を容易に適用することができる。
【００５７】
図４のシナリオでは、４０５で、ＬＡＡ−ＬＴＥ周波数帯域１１１におけるＵＥ１０１からｅＮＢ１０２ｃへのデータパケット２９０の第２のアップリンク送信１８１は成功であり、このため、４０５での第２のアップリンク送信１８１は、４０６で肯定応答される。ＬＡＡ−ＬＴＥ周波数帯域１１１におけるデータパケット２９０の送信は、送信タイムアウトタイマー２８０−１が終了する前に４０６で既に肯定応答されているので、ＬＴＥ周波数帯域１１２を介したデータパケット２９０のアップリンク送信１８１へのフォールバックを実行する必要はない。
【００５８】
図４のシナリオに関して、制御シグナリングは、ＬＴＥ周波数帯域１１２を介して処理される、すなわち、４０４および４０６での肯定応答および否定応答に加えて、ＲＲＣフレームワークに従った制御メッセージ４０１がＬＴＥ周波数帯域１１２において送られることに留意されたい。言い換えれば、ＬＡＡ−ＬＴＥ周波数帯域１１１におけるデータパケット２９０のアップリンク送信１８１を保護するためにＵＥ１０１によって使用されるＡＲＱ方式は、少なくとも部分的にＬＴＥ周波数帯域１１２におけるリソースに依存する。したがって、ペイロードデータ送信は、ＬＡＡ−ＬＴＥ周波数帯域１１１によって処理されるが、ＬＴＥ周波数帯域１１２に依存することによって、高い送信信頼性または制御シグナリングを達成することができる。
【００５９】
図４に関して説明したように、ＬＡＡ−ＬＴＥ周波数帯域１１１におけるデータパケット２９０のアップリンク送信１８１を保護するためにＵＥ１０１によって使用される第１のＡＲＱ方式の特性の少なくとも一部がセルラーネットワーク１０２によって制御される場合、セルラーネットワーク１０２は、ＬＴＥ周波数帯域１１２上の総トラフィック負荷に対してより良好な制御を得ることが可能である。これは、例えば、ＬＴＥ周波数帯域１１２における追加の再送の数がゼロであることをセルラーネットワーク１０２が指定できるようにすることによって達成することができ、同様に、さらなる再送タイマー２８０−２（図２参照）の値がゼロに設定されることが可能である。同様に、ＬＡＡ−ＬＴＥ周波数帯域１１１における送信のための送信タイムアウトタイマー２８０−１のタイマー値をゼロに設定することも可能である。そのようなシナリオでは、セルラーネットワーク１０２が、ＬＴＥ周波数帯域１１１上のトラフィック負荷、下位層送信遅延、およびＵＥ１０１の送信バッファ要件を動的に十分制御することが可能である。特に、セルラーネットワーク１０２のそれぞれの制御論理が、ＬＡＡ−ＬＴＥ周波数帯域１１１における現在の干渉状況を考慮することが可能であり、現在の干渉状況は、ＬＡＡ−ＬＴＥ周波数帯域１１１における送信１８１、１８２についての送信信頼性に著しい影響を及ぼす可能性がある。ここでは、セルラーネットワーク１０２は、干渉状況を自律的に判定し、および／またはＬＡＡ−ＬＴＥ周波数帯域１１１およびＬＴＥ周波数帯域１１２のうちの少なくとも１つを介してＵＥ１０１から受信されたそれぞれの指示に依存し得る。
【００６０】
一般に、ＬＡＡ−ＬＴＥ周波数帯域１１１を介した送信を保護するために実施されるＡＲＱ方式の特性を設定するための論理が少なくとも部分的にセルラーネットワーク１０２内に存在するシナリオでは、前記ＡＲＱ方式の対応する特性を示す制御メッセージは、ＬＴＥ周波数帯域１１２を介して送られることが可能である。ＡＲＱ特性は、送信タイムアウトタイム２８０−１および／または対応する再送カウンタとの比較のための所定の閾値を含み得る。ＡＲＱ特性は、ＬＡＡ−ＬＴＥ周波数帯域１１１における干渉状況、それぞれトラフィック負荷に基づいて決定され得る。代替または追加として、特性は、ＵＥ１０１の品質報告に基づいて決定され得る。品質報告は、チャネル品質報告（ＣＱＩ）、パケット誤り率、ビット誤り率、ＵＥ１０１の再送試行の再送統計などの特性を示し得る。そのような情報は、干渉認識報告と呼ばれ得、そのような情報は、ＬＡＡ−ＬＴＥ周波数帯域１１１における干渉状況を直接的または間接的に示し得る。品質報告は、ＬＴＥ周波数帯域１１２において、ＵＥ１０１からセルラーネットワーク１０２に送られ得る。
【００６１】
上記では、ＬＡＡ−ＬＴＥ周波数帯域１１１を介してアップリンク送信１８１および／またはダウンリンク送信１８２を保護するために実装されたＡＲＱ方式のいくつかの特性に関する決定論理が少なくとも部分的にセルラーネットワーク１０２に存在するシナリオについて説明した。同様に、それぞれの決定論理が少なくとも部分的にＵＥ１０１に存在するシナリオが実施されることも可能である。次いで、遠隔制御のためのそれぞれの制御メッセージは、ＵＥ１０１によって、ＬＴＥ周波数帯域１１２においてセルラーネットワーク１０２に送られ得る。
【００６２】
図５には、第１のＡＲＱ方式５０１および第２のＡＲＱ方式５０２が示されている。図５のシナリオでは、ＡＲＱ方式によって制御される再送ならびにＦＥＣの両方に依存するハイブリッドＡＲＱ（ＨＡＲＱ）方式５０１、５０２が使用される。第１のＨＡＲＱ方式５０１は、それぞれＬＡＡ−ＬＴＥ周波数帯域１１１を介したアップリンクおよび／またはダウンリンク送信１８１、１８２を保護するためのものであり、第２のＡＲＱ５０２は、ＬＴＥ周波数帯域１１２を介したアップリンクおよび／またはダウンリンク送信１８１、１８２を保護するために使用される。
【００６３】
図５からわかるように、特性の少なくとも一部が互いに異なるという点で、第１のＡＲＱ方式５０１は、第２のＡＲＱ方式５０２とは異なる。例えば、第１のＡＲＱ方式５０１のシナリオでは、再送試行回数、すなわち、再送カウンタと比較される所定の閾値またはタイマー初期値は４に等しいが、第２のＡＲＱ方式５０２のシナリオでは無限大に等しい。図５に示されているＡＲＱ方式５０１、５０２のさらなる特性は、送信タイムアウトタイマー２８０−１、２８０−２と比較される所定の閾値、否定応答の使用を示すフラグ、肯定応答の使用を示すフラグ、ブロック確認応答の使用を示すフラグ、およびＦＥＣチェックサムのサイズである。
【００６４】
特に、ＵＥ１０１からセルラーネットワーク１０２へのアップリンク送信１８１がＡＲＱ方式５０１、５０２を使用して保護される場合、ＡＲＱ方式５０１、５０２のこれらの特性の全部または一部は、セルラーネットワーク１０２によって設定されることが可能である。例えば、第１のＡＲＱ方式５０１の少なくとも１つの特性が、ＬＡＡ−ＬＴＥ周波数帯域１１１における干渉状況、およびＵＥ１０１から受信された品質報告のうちの少なくとも１つに基づいて決定されることが可能である。例えば、ＵＥ１０１は、ＬＴＥ周波数帯域１１２においてワイヤレスインターフェースを介して品質報告を送るように構成することができる。品質報告は、ＣＱＩ、パケット誤り率、ビット誤り率、再送統計などのようなパラメータを指定することができる。一般に、品質報告は、第１の周波数帯域１０１における送信のためのＵＥ１０１の干渉認識を示すことができる。次いで、セルラーネットワーク１０２は、第２の周波数帯域１１２においてＵＥ１０１にそれぞれの制御メッセージを送るように構成することができる。第１のＡＲＱ方式５０１のそれぞれの特性を示す制御メッセージ。
【００６５】
図６には、データパケット２９０がより詳細に示されている。データパケット２９０は、ヘッダおよびペイロード部分（図６には図示せず）を含む。ヘッダでは、データパケット２９０の様々な特性を指定することができる。特に、ＱｏＳパラメータがデータパケット２９０に関連付けられている可能性があり、ＱｏＳパラメータは、少なくとも暗黙的にデータパケット２９０の存続期間を指定することができる。例えば、ＱｏＳパラメータの前記関連付けは、特定のベアラを介してデータパケット２９０を送信することによって達成され得る。各ベアラには、あるＱｏＳパラメータが割り当てられ得る。例えば、ストリーミングムービーには、例えばＶｏＩＰ（Ｖｏｉｃｅ  ｏｖｅｒ  Ｉｎｔｅｒｎｅｔ  Ｐｒｏｔｏｃｏｌ）とは異なり得る特定のＱｏＳパラメータが割り当てられる。データパケット２９０が特定のベアラに関連付けられているので、データパケット２９０は、対応するＱｏＳパラメータに暗黙的に関連付けられる。さらに、データパケット２９０のヘッダ部分には、コンテンツインジケータが含まれている。また、コンテンツ表示から、データパケット２９０の存続期間に終了することが可能である。
【００６６】
図７は、ＵＥ１０１の概略図である。ＵＥ１０１は、プロセッサ１０１−２を含む。例えば、プロセッサ１０１−２は、マルチコアプロセッサとすることができ、代替または追加として、分散コンピューティングに依存することが可能である。
【００６７】
さらに、ＵＥ１０１は、メモリ１０１−３を含む。例えば、メモリは、揮発性メモリまたは不揮発性メモリとすることができる。制御データは、メモリ１０１−３に記憶される。制御データがプロセッサ１０１−２によって実行されると、アップリンク送信１８１および／またはダウンリンク送信１８２を保護することに関連して上述したような様々な実施形態による技術が実行される。特に、プロセッサ１０１−２は、メモリ１０１−３から受信された制御データを実行するとき、ＬＡＡ−ＬＴＥ周波数帯１１１および／またはＬＴＥ周波数帯域１１２においてワイヤレスインターフェース１０１−１を介してセルラーネットワーク１０２にデータパケット２９０を送るように構成することができ、さらに、プロセッサ１０１−２は、データパケット２９０の受信がセルラーネットワーク１０２によって確認応答されたかどうかをチェックするように構成することができる。さらに、プロセッサ１０１−２は、第１のＡＲＱ方式１０１および／または第２のＡＲＱ方式５０２を使用するように構成することができ、さらに、プロセッサ１０１−２は、送信タイムアウトタイマー２８０−１、２８０−２とそれぞれの所定の閾値との間の閾値比較を実行することによって送信タイムアウトを監視するように構成することができる。
【００６８】
図７からわかるように、ＵＥ１０１のワイヤレスインターフェース１０１−１は、ＬＡＡ−ＬＴＥ周波数帯域１１１において送受信するための第１の送信機１０１−１ａおよび第１の受信機１０１−１ｂを含み、さらに、ワイヤレスインターフェース１０１−１は、ＬＴＥ周波数帯域１１２において送受信するための第２の送信機１０１−１ｃおよび第２の受信機１０１−１ｄを含む。ＬＡＡ−ＬＴＥ周波数帯域１１１およびＬＴＥ周波数帯域１１２の特定の選択に応じて、ワイヤレスインターフェース１０１−１は、ＬＡＡ−ＬＴＥ周波数帯域１１１およびＬＴＥ周波数帯域１１２の両方で通信するように構成された単一のトランシーバのみを備えることも可能である（図７には示されていないシナリオ）。
【００６９】
ＵＥ１０１は、ヒューマンマシンインターフェース（ＨＭＩ）１０１−４をさらに備える。ＨＭＩ１０１−４を介してユーザからユーザ命令を受信することが可能である。さらに、ＨＭＩ１０１−４を介してユーザに情報を出力することが可能である。ＨＭＩ１０１−４は、タッチパッド、マウス、キーボード、音声認識ユニット、１つ以上の制御ライト、ディスプレイ、および／または１つ以上のボタンなどを備え得る。
【００７０】
図８には、ｅＮＢ１０２ｂ、１０２ｃがより詳細に示されている。ｅＮＢ１０２ｂ、１０２ｃは、プロセッサ１０２ｂ−２を備え、例えば、プロセッサ１０２ｂ−２は、マルチコアプロセッサであってもよく、および／または共有コンピューティングに依存してもよい。
【００７１】
さらに、ｅＮＢ１０２ｂ、１０２ｃは、メモリ１０２ｂ−３を備える。メモリ１０２ｂ−３は、揮発性メモリまたは不揮発性メモリとすることができる。メモリ１０２ｂ−３は、プロセッサ１０２ｂ−２によって実行されると、上述したような様々な実施形態による技術をプロセッサ１０２ｂ−２に実行させる制御データを含む。特に、プロセッサ１０２ｂ−２がメモリ１０２ｂ−３から受信された制御データを実行するとき、プロセッサ１０２ｂ−２は、アップリンク送信１８１および／またはダウンリンク送信１８２の保護に関して上述したような技術を実行することができる。特に、プロセッサ１０２ｂ−２は、メモリ１０２ｂ−３から受信された制御データを実行するとき、ＬＡＡ−ＬＴＥ周波数帯１１１および／またはＬＴＥ周波数帯域１１２においてワイヤレスインターフェース１０２ｂ−１を介して通信デバイス１０１にデータパケット２９０を送るように構成することができ、さらに、プロセッサ１０２ｂ−２は、データパケット２９０の受信が確認応答されたかどうかをチェックするように構成することができる。さらに、プロセッサ１０２ｂ−２は、第１のＡＲＱ方式１０１および／または第２のＡＲＱ方式５０２を使用するように構成することができ、さらに、プロセッサ１０２ｂ−２は、送信タイムアウトタイマー２８０−１、２８０−２とそれぞれの所定の閾値との間の閾値比較を実行することによって送信タイムアウトを監視するように構成することができる。
【００７２】
ｅＮＢ１０２ｂ、１０２ｃは、ワイヤレスインターフェース１０２ｂ−１を備える。ワイヤレスインターフェース１０２ｂ−１は、送信機１０２ｂ−１ａおよび受信機１０２ｂ−１ｂを備える。ワイヤレスインターフェース１０２ｂ−１は、ｅＮＢ１０２ｃの場合はＬＡＡ−ＬＴＥ周波数帯域１１１において、ｅＮＢ１０２ｂの場合はＬＴＥ周波数帯域１１２においてＵＥ１０１と通信するように構成される。例えば、両方のｅＮＢ１０２ｂ、１０２ｃの機能が単一のエンティティ内にコロケートされる場合、それぞれのインタフェース１０２ｂ−１は、２つの周波数帯域１１１、１１２の異なる１つで通信するようにそれぞれ構成されている２つの送信機および２つの受信機（図８には図示せず）を含むことが可能である。
【００７３】
さらに、ＨＭＩ１０２ｂ−４を備えるｅＮＢ１０２ｂ、１０２ｃ。ＨＭＩ１０２ｂ−４を介してユーザ入力を受信し、および／またはＨＭＩ１０２ｂ−４を介してユーザに情報を出力することが可能である。ＨＭＩ１０２ｂ−４は、タッチパッド、マウス、キーボード、音声認識ユニット、１つ以上の制御ライト、ディスプレイ、および／または１つ以上のボタンなどを備え得る。
【００７４】
要約すると、上記の技術は、データパケットの再送が、ＬＡＡ−ＬＴＥ周波数帯域を介して第１のＡＲＱ方式によって主に処理される場合を記載しており、フォールバックとして、データパケットの再送は、ＬＴＥ周波数帯域を介して第２のＡＲＱ方式によって処理される。ＬＡＡ−ＬＴＥ周波数帯における干渉レベルが比較的低い状況では、単純かつ効果的な送信保護を使用することができ、比較的低いレイテンシでデータパケットの正常な受信が達成され得る。ＬＡＡ−ＬＴＥ周波数帯域において干渉レベルが比較的高いシナリオにおいても、上位層再送を必要とすることなく、全体的な送信信頼性が大幅に低下することはないが、大部分のトラフィックはＬＡＡ−ＬＴＥ周波数帯域によって処理され得る。この技術によれば、フォールバックは構成可能であり、それぞれの制御論理は、セルラーネットワークおよび／またはＵＥに存在し得る。フォールバックの制御を実施するために、制御シグナリングが実行されてもよく、ペイロードトラフィックがＬＡＡ−ＬＴＥ周波数帯域において処理された場合でも、制御シグナリングは、ＬＴＥ周波数帯域に存在し得る。フォールバックをトリガするためのトリガ基準は、送信タイムアウトタイマーおよび／または再送カウンタの満了とすることができ、それぞれの閾値は、セルラーネットワークによって構成され得る。閾値は、データパケットの存続期間および／またはＬＡＡ−ＬＴＥ周波数帯域の干渉レベルおよび／またはＵＥによって提供される品質報告に基づいて決定され得る。
【００７５】
本発明は、いくつかの好ましい実施形態に関して図示され説明されているが、本明細書を読み、理解すると、当業者には均等物および修正が心に浮かぶであろう。本発明は、そのような均等物および修正のすべてを含み、以下の特許請求の範囲によってのみ限定される。
【図１】
0006485979.tif 000002
【図２】
0006485979.tif 000003
【図３】
0006485979.tif 000004
【図４】
0006485979.tif 000005
【図５】
0006485979.tif 000006
【図６】
0006485979.tif 000007
【図７】
0006485979.tif 000008
【図８】
0006485979.tif 000009